(57)【要約】【課題】  操作部材を回転させた際に、その操作部材の回転状態を感覚的に知ることができ、これにより操作部材の操作性を向上させることができる回転スイッチを提供する。【解決手段】  回転方向に操作可能な操作部材である巻真１２に、これと一体的に回転する磁石部材１４を取り付け、この磁石部材１４の回転磁界を磁気センサ１５で検出すると共に、磁石部材１４に断面形状が非円形状に形成された非円形部２６を設け、巻真１２と共に回転する非円形部２６に板ばね２８を弾接させた。従って、巻真１２を回転させて磁石部材１４を回転させると、この磁石部材１４の回転磁界を磁気センサ１５で検出することができると共に、巻真１２の回転に伴って非円形部２６が回転して板ばね２８を弾性変形させて乗り越えることにより、巻真１２にクリック感を付与することができる。【選択図】        図４
2011165468.tif 000002
【特許請求の範囲】
【請求項１】
回転方向に操作可能な操作部材と、
この操作部材に取り付けられて前記操作部材と一体的に回転する磁石部材と、
この磁石部材の回転を検出する磁気センサと、
前記操作部材もしくは前記磁石部材に設けられて断面形状が非円形状に形成された非円形部と、
この非円形部に弾接し、前記操作部材を回転させた際に前記非円形部によって弾性変形して前記非円形部が乗り越えるばね部材と
を備えていることを特徴とする回転スイッチ。
【請求項２】
前記ばね部材は、前記非円形部を弾力的に挟み付ける一対の弾接片を備えていることを特徴とする請求項１に記載の回転スイッチ。
【請求項３】
前記磁石部材は、磁界を発生する磁石と、この磁石を包み込む樹脂部とを備え、この樹脂部に前記非円形部が設けられていることを特徴とする請求項１または請求項２に記載の回転スイッチ。
【発明の詳細な説明】
【技術分野】
【０００１】
この発明は、電子腕時計などの電子機器に用いられる回転スイッチに関する。
【背景技術】
【０００２】
例えば、電子腕時計においては、特許文献１に記載されているように、時刻を修正する際に、巻真を所定位置に引き出して回転させることにより、巻真の回転に応じて指針を運針させる時刻を修正する回転スイッチを備えた構成のもが知られている。
【先行技術文献】
【特許文献】
【０００３】
【特許文献１】特開２００８−１２２３７７号公報
【０００４】
このような電子腕時計は、腕時計ケースに巻真を、その軸方向における第１の位置と第２の位置とに移動可能に設けると共に、巻真の軸を中心とする回転方向にも回転可能に設け、この巻真に磁石を設け、この磁石の円周方向に位置する腕時計ケース内に磁気センサを設けた構成になっている。
【０００５】
この種の電子腕時計では、巻真を押し込んだ第１の位置状態のときに、巻真に設けられた磁石が磁気センサから離れ、また巻真を引き出した第２の位置状態のときに、巻真と共に磁石が移動して磁気センサに対応し、この状態で巻真を回転させると、磁石が巻真と共に回転し、この回転する磁石の磁界を磁気センサが検出し、この磁気センサで検出された検出データに基づいて指針を運針させることにより、時刻を修正している。
【発明の概要】
【発明が解決しようとする課題】
【０００６】
しかしながら、このような従来の電子腕時計においては、巻真を引き出した第２の位置状態のときに、巻真を回転させて磁石を巻真と共に回転させ、この磁石による回転磁界を磁気センサが非接触状態で検出する構成であるから、巻真を回転させても、巻真にクリック感がないため、巻真の回転状態を感覚的に知ることができないという問題がある。
【０００７】
この発明が解決しようとする課題は、巻真などの操作部材を回転させた際に、その操作部材の回転状態を感覚的に知ることができ、これにより操作部材の操作性を向上させることができる回転スイッチを提供することである。
【課題を解決するための手段】
【０００８】
この発明は、上記課題を解決するために、次のような構成要素を備えている。
請求項１に記載の発明は、回転方向に操作可能な操作部材と、この操作部材に取り付けられて前記操作部材と一体的に回転する磁石部材と、この磁石部材の回転を検出する磁気センサと、前記操作部材もしくは前記磁石部材に設けられて断面形状が非円形状に形成された非円形部と、この非円形部に弾接し、前記操作部材を回転させた際に前記非円形部によって弾性変形して前記非円形部が乗り越えるばね部材とを備えていることを特徴とする回転スイッチである。
【０００９】
請求項２に記載の発明は、前記ばね部材が、前記非円形部を弾力的に挟み付ける一対の弾接片を備えていることを特徴とする請求項１に記載の回転スイッチである。
【００１０】
請求項３に記載の発明は、前記磁石部材が、磁界を発生する磁石と、この磁石を包み込む樹脂部とを備え、この樹脂部に前記非円形部が設けられていることを特徴とする請求項１または請求項２に記載の回転スイッチである。
【発明の効果】
【００１１】
この発明によれば、操作部材を回転させて磁石部材を操作部材と共に一体的に回転させると、この磁石部材の回転を磁気センサで検出することができると共に、操作部材が回転すると、非円形部も回転し、この非円形部の回転に伴って非円形部がばね部材を弾性変形させて乗り越えることにより、操作部材にクリック感を付与することができる。このため、操作部材を回転させた際に、その操作部材の回転状態を感覚的に知ることができ、これにより操作部材の操作性を向上させることができる。
【図面の簡単な説明】
【００１２】
【図１】この発明を電子腕時計に適用した一実施形態を示した要部の拡大断面図である。
【図２】図１に示された電子腕時計のＡ−Ａ矢視における時計モジュールの要部を示した拡大裏面図である。
【図３】図１に示された電子腕時計のＢ−Ｂ矢視における時計モジュールの要部を示した拡大裏面図である。
【図４】図２に示された時計モジュールのＣ−Ｃ矢視における要部を示した拡大断面図である。
【図５】図４に示された磁石部材を示し、（ａ）はその拡大正面図、（ｂ）はその拡大側面図である。
【図６】図５に示された磁石部材の各断面を示し、（ａ）は図５（ａ）のＤ−Ｄ矢視における要部の拡大断面図、（ｂ）は図５（ｂ）のＥ−Ｅ矢視における要部の拡大断面図である。
【図７】図３に示されたばね部材を示し、（ａ）はその拡大平面図、（ｂ）はその拡大側面図である。
【図８】図７（ａ）に示されたばね部材のＦ−Ｆ矢視における拡大断面図である。
【図９】図３に示されたＧ−Ｇ矢視における断面を示し、（ａ）はばね部材が磁石部材の非円形部によって押し広げられた状態を示した拡大断面図、（ｂ）は磁石部材の非円形部がばね部材を乗り越えた状態を示した拡大断面図である。
【図１０】図３に示された巻真を引き出して位置規制部材のオシドリを回転させた時刻修正状態を示した要部の拡大裏面図である。
【発明を実施するための形態】
【００１３】
以下、図１〜図１０参照して、この発明を指針式の電子腕時計に適用した一実施形態について説明する。
この電子腕時計は、図１に示すように、腕時計ケース１を備えている。この腕時計ケース１の上部開口部には、時計ガラス２がパッキン２ａを介して取り付けられており、この腕時計ケース１の下部には、裏蓋３が防水リング３ａを介して取り付けられている。
【００１４】
また、この腕時計ケース１の内部には、図１に示すように、時計モジュール４が中枠５によって設けられている。この時計モジュール４は、指針を運針する時計ムーブメント（図示せず）と、時刻を修正するための時刻修正装置６とを備えている。この場合、時計モジュール４の上面には、文字板７が設けられており、この文字板７の上面には、リング状の見切部材８が設けられている。
【００１５】
時刻修正装置６は、図１に示すように、腕時計ケース１の側壁部に回転可能に挿入されて外部に突出する竜頭１０と、この竜頭１０に取り付けられて時計モジュール４内の地板１１に軸方向に移動操作可能で且つその軸を中心とする回転方向にも回転操作可能に設けられた操作部材である巻真１２と、この巻真１２の軸方向における移動位置を規制する位置規制部材１３（図３参照）と、巻真１２にスライド可能に設けられて巻真１２と共に回転する磁石部材１４と、この磁石部材１４の円周方向に位置して磁石部材１４の回転を検出する磁気センサ１５とを備えている。
【００１６】
この場合、巻真１２は、図１に示すように、ほぼ丸棒状に形成され、その一端部（図１では右端部）に竜頭１０が取り付けられている。この竜頭１０は、腕時計ケース１の側壁部に設けられた貫通孔１ａに外側から挿入されている。また、この巻真１２は、図１に示すように、その他端部（図１では左端部）が地板１１に軸方向に移動操作可能で、且つその軸を中心とする回転方向にも回転操作可能に取り付けられている。これにより、巻真１２は、腕時計ケース１の外部に位置する竜頭１０を引き出し方向に操作すると、これに伴って軸方向に移動し、また竜頭１０を回転方向に操作すると、軸回りに回転するように構成されている。
【００１７】
また、この巻真１２は、図１、図３および図４に示すように、そのほぼ中間部に小径の段差凹部１２ａが環状に設けられている。この段差凹部１２ａにおける時計モジュール１の内部側に位置する先端側（図４では左端側）には、図１および図４に示すように、後述する磁石部材１４をスライド可能に取り付けるための、断面形状が四角形状の角棒状に形成された係合軸部１６が設けられている。
【００１８】
さらに、この巻真１２の内部側に位置する係合軸部１６の先端部(図４では左端部)には、図１および図４に示すように、小径の軸部１２ｂが設けられている。この軸部１２ｂは、丸棒状に形成され、地板１１に設けられたガイド穴１１ａ内に軸方向に移動可能で且つその軸を中心に回転可能な状態で挿入されている。これにより、巻真１２は、図３および図４に示すように、軸方向（矢印Ｘ方向）に押し込まれた第１の位置と、図１０に示すように、軸方向（矢印Ｙ方向）に引き出された第２の位置とに移動するように構成されている。
【００１９】
位置規制部材１３は、図３および図１０に示すように、オシドリ２０、オシドリばね２１、スイッチ板２２、および押え板２３を備えている。オシドリ２０は、図３および図１０に示すように、平板状に形成され、地板１１に設けられた支持軸１７に回転可能に取り付けられ、巻真１２の軸方向への移動に応じて支持軸１７を中心に回転するように構成されている。
【００２０】
すなわち、オシドリ２０には、図３および図１０に示すように、巻真１２の段差凹部１２ａ内に配置される連動アーム部２０ａと、オシドリばね２１によって弾力的に位置規制される連動ピン２０ｂと、スイッチ板２２をオシドリ２０と共に回転させる連結ピン２０ｃとが設けられている。これにより、オシドリ２０は、図３および図１０に示すように、巻真１２が軸方向に移動すると、巻真１２の段差凹部１２ａの移動に伴って連動アーム部２０ａが揺動することにより、支持軸１７を中心に回転するように構成されている。
【００２１】
オシドリばね２１は、図３および図１０に示すように、板ばねであり、オシドリ２０の近傍に位置する箇所の地板１１に固定され、オシドリ２０の連動ピン２０ｂを弾力的に保持して位置規制することにより、オシドリ２０の回転位置を規制して巻真１２の軸方向の移動位置を規制するように構成されている。すなわち、このオシドリばね２１は、図３および図１０に示すように、その先端部にオシドリ２０の連動ピン２０ｂを弾力的に保持する位置規制部２４が設けられている。
【００２２】
この位置規制部２４には、図３および図１０に示すように、連動ピン２０ｂを弾力的に係止する複数の係止凹部が設けられている。これにより、オシドリばね２１は、図３に示すように、巻真１２が押し込まれた第１の位置状態のときに、オシドリ２０の連動ピン２０ｂを位置規制部２４の下部側に位置する係止凹部で弾力的に係止することにより、巻真１２を第１の位置に規制するように構成されている。
【００２３】
また、このオシドリばね２１は、図１０に示すように、巻真１２が軸方向に引き出された第２の位置に移動するときに、オシドリ２０が支持軸１７を中心に回転し、これに伴う連動ピン２０ｂの回転移動によって、位置規制部２４が弾性変形し、この弾性変形した位置規制部２４の上部側に位置する係止凹部がオシドリ２０の連動ピン２０ｂを弾力的に係止することにより、巻真１２を第２の位置に規制するように構成されている。
【００２４】
スイッチ板２２は、図３および図１０に示すように、金属板からなり、オシドリ２０と共に地板１１の支持軸１７に回転可能に取り付けられている。このスイッチ板２２には、後述する回路基板２５の上面に接触して摺動する接触ばね部２２ａが、オシドリ２０の連動アーム部２０ａと反対側に向けて延設されている。このスイッチ板２２の所定箇所には、図３および図１０に示すように、オシドリ２０の連結ピン２０ｃが挿入する挿入孔２２ｂが設けられている。
【００２５】
これにより、スイッチ板２２は、図３および図１０に示すように、接触ばね部２２ａの先端部が回路基板２５の上面に接触した状態で、支持軸１７を中心にオシドリ２０と共に回転移動し、この接触ばね部２２ａの先端部が回路基板２５の上面に設けられた２つの接点部２５ａ、２５ｂに対する接触位置を切り替えるように構成されている。押え板２３は、オシドリばね２１と共に地板１１にねじ２３ａによって取り付けられて、オシドリばね２１およびスイッチ板２２を押え付けることにより、オシドリ２０を地板１１に押し付けるように構成されている。
【００２６】
ところで、巻真１２にスライド可能に設けられた磁石部材１４は、図４〜図６に示すように、リング状の磁石１８と、この磁石１８を包む樹脂部１９とからなり、全体がほぼ円板状に形成されている。この場合、樹脂部１９には、図４〜図６に示すように、非円形部２６が巻真１２の軸方向における小径の軸部１２ｂ側に向けて突出して設けられている。この非円形部２６は、図６（ａ）および図６（ｂ）に示すように、その外径が磁石１８の外径よりも小さく形成されている共に、断面が四角形状に形成されている。この非円形部２６の左端部には、その外径よりも大きいガイド鍔部２７が設けられている。
【００２７】
この磁石部材１４は、図４〜図６に示すように、その中心部に巻真１２の係合軸部１５が挿入する断面四角形状の係合孔１４ａが設けられ、図３および図４に示すように、地板１１に設けられた板ばね２８によって弾力的に押えられている。この板ばね２８は、図３および図４に示すように、巻真１２の軸方向に沿って細長く形成され、磁石部材１４の軸方向における全長に亘って配置され、この状態でばね押え板２９によって押え付けられている。
【００２８】
また、この板ばね２８には、図７〜図９に示すように、磁石部材１４の非円形部２６の外周に位置して、非円形部２６を外周側から弾力的に挟み付ける一対の弾性片２８ａが設けられている。この一対の弾性片２８ａは、図３に示すように、磁石１８の側面に位置する樹脂部１９とガイド鍔部２７との間に配置され、この状態で磁石部材１４が巻真１２の軸方向への移動を規制するように構成されている。
【００２９】
これにより、磁石部材１４は、図３および図４に示すように、その中心に設けられた係合孔１４ａに巻真１２の係合軸部１６がスライド可能に挿入し、この状態で巻真１２が軸方向に移動しても、板ばね２８によって弾力的に押えられていることにより、巻真１２に対し相対的に移動して常に一定の位置に保持され、この状態で巻真１２と共に一体的に回転するように構成されている。
【００３０】
すなわち、この磁石部材１４は、図３および図４に示すように、巻真１２が押し込まれた第１の位置状態のときに、巻真１２の内部側に位置する係合軸部１６の外側の端部側（図４では右側）に位置し、図１０に示すように、巻真１２が引き出された第２の位置状態のときに、巻真１２の内部側に位置する係合軸部１６の内側の先端部側（図４では左側）に位置するように構成されている。
【００３１】
また、この磁石部材１４は、巻真１２が押し込まれた第１の位置状態においても、また巻真１２が引き出された第２の位置状態においても、巻真１２と共に一体的に回転し、このときに、図９（ａ）および図９（ｂ）に示すように、非円形部２６が板ばね２８の一対の弾性片２８ａを押し広げるように弾性変形させて乗り越えながら回転することにより、巻真１２に順次クリック感を付与するように構成されている。
【００３２】
すなわち、この磁石部材１４の非円形部２６は、断面四角形状に形成されていることにより、磁石部材１４が巻真１２と共に一体的に回転する際に、図９（ａ）に示すように、非円形部２６の角部が板ばね２８の一対の弾性片２８ａを押し広げ、図９（ｂ）に示すように、非円形部２６が板ばね２８の一対の弾性片２８ａを乗り越えると、板ばね２８の一対の弾性片２８ａが互いに接近する方向に弾性復帰して非円形部２６の辺部を挟み付けるように弾性変形することにより、巻真１２にクリック感を付与するように構成されている。
【００３３】
これにより、非円形部２６は、巻真１２が連続して回転して非円形部２６が連続回転すると、その連続回転に伴って、非円形部２６の角部が板ばね２８の一対の弾性片２８ａを順次弾性変形させて順次乗り越えることにより、巻真１２の連続回転に応じて、巻真１２に順次クリック感を付与するように構成されている。
【００３４】
一方、磁気センサ１５は、図１、図２および図４に示すように、地板１１の裏面（図４では下面）に設けられた回路基板２５の下面における磁石部材１４と対応する箇所に設けられている。これにより、磁気センサ１５は、回路基板２５を間に挟んで磁石部材１４と対応している。
【００３５】
この磁気センサ１５は、２つの磁気検出素子、例えば２つの磁気抵抗素子（ＭＲ素子：Magneto Resistance 素子）と、その出力をデジタル化するＩＣとを１つのパッケージに収めたものであり、２つの磁気抵抗素子で磁石部材１４の回転に伴う磁界の変化を検出して、高い（ハイ：Ｈ）、低い（ロウ：Ｌ）の２種類の検出信号を出力するように構成されている。
【００３６】
すなわち、この磁気センサ１５は、２つの磁気抵抗素子の設置位置が異なっていることにより、磁石部材１４の回転に伴う磁界の変化を検出した際に、その出力に位相差が生じ、この位相差によって２種類の検出信号を出力することにより、磁石部材１４の回転を検出するように構成されている。この場合、回路基板２５に設けられたマイコン（図示せず）は、２種類の検出信号を解析して、磁石部材１４の回転角度を算出する。
【００３７】
また、この磁気センサ１５は、磁石部材１４の回転方向（正回転であるか逆回転であるか）を検出すると共に、磁石部材１４の正回転または逆回転が連続しているか否かをも検出する。これにより、回路基板２５に設けられたマイコンは、磁気センサ１５で検出された回転方向の検出信号により、指針を正方向（時計回り）または逆方向（反時計回り）に回転させると共に、磁気センサ１５で検出された磁石部材１４の回転が連続しているか否かの検出信号により、回転が連続している場合に、指針を早送りで正方向（時計回り）または逆方向（反時計回り）に回転させる。
【００３８】
また、この磁気センサ１５は、図１０に示すように、巻真１２が引き出されて位置規制部材１３のスイッチ板２２が回転し、このスイッチ板２２の接触ばね部２２ａが、回路基板２５に設けられた左側に位置する他方の接点部２５ｂに接触して、通常運針状態から時刻修正状態に切り替わった際に、オン状態となり、磁石部材１４の磁石１８の磁界を検出するように構成されている。
【００３９】
この場合、磁気センサ１５は、図３に示すように、巻真１２が押し込まれて位置規制部材１３のスイッチ板２２の接触ばね部２２ａが、回路基板２５に設けられた右側に位置する一方の接点部２５ａに接触して、時計回路（図示せず）がオン状態になり、通常運針状態であるときには、オフ状態となり、磁石部材１４の磁石１８の磁界を検出しないように構成されている。
【００４０】
また、この磁気センサ１５の周囲には、図１、図２および図４に示すように、耐磁板３０が配置されている。この耐磁板３０は、磁性材料からなり、腕時計ケース１の外部からの磁界を吸収するためのものであり、全体が枠状に形成され、回路基板２５に半田３１によって取り付けられている。これにより、磁気センサ１５は、耐磁板３０によって外部磁界の影響を受けずに、磁石部材１４の回転磁界を感度良く正確に検出するように構成されている。
【００４１】
次に、この電子腕時計における時刻修正装置６の作用について説明する。
まず、巻真１２を軸方向に押し込んで第１の位置に移動させると、図３および図４に示すように、巻真１２の段差凹部１２ａが時計モジュール４の内部側（図４では左側）に移動し、巻真１２の係合軸部１６が図４に示す矢印Ｘ方向に押し込まれる。この状態では、磁石部材１４が板ばね２８で押えられているので、巻真１２が押し込まれても、磁石部材１４は巻真１２と共に移動せず、巻真１２の係合軸部１６における外側の端部側（図４では右側）に位置して、磁気センサ１５に対応している。
【００４２】
また、このときには、巻真１２の段差凹部１２ａが時計モジュール４の内部側に移動するので、図３に示すように、オシドリ２０の連動アーム部２０ａが時計モジュール４の内部側（図３では右側）に向けて移動し、オシドリ２０が支持軸１７を中心に反時計回りに回転する。これに伴って、図３に示すように、連動ピン２０ａがオシドリばね２１に設けられた位置規制部２４の下部側に位置する係止凹部に弾力的に保持される。これにより、巻真１２が押し込まれた第１の位置に規制される。
【００４３】
また、このときには、スイッチ板２２がオシドリ２０の連結ピン２０ｃによってオシドリ２０と連結されているので、図３に示すように、スイッチ板２２が支持軸１７を中心にオシドリ２０と共に時計回りに回転する。これにより、スイッチ板２２における接触ばね部２２ａの先端部が、図３に示すように、回路基板２５の上面に接触した状態で回転移動する。
【００４４】
これにより、接触ばね部２２ａが、図３に示すように、回路基板２５に設けられた右側に位置する一方の接点部２５ａに接触し、時計回路をオン状態にして、通常運針状態にする。このときには、磁気センサ１５がオフ状態になり、磁気センサ１５による磁気検出が停止されている。これにより、巻真１２を回転させて磁石部材１４を回転させても、磁気センサ１５が磁石部材１４の回転磁界を検出しない。
【００４５】
一方、巻真１２が軸方向に引き出されて第２の位置に移動すると、図１０に示すように、巻真１２の段差凹部１２ａが時計モジュール４の外側に向けて移動し、巻真１２の係合軸部１６が引出し方向（図１０に矢印Ｙで示す右方向)に移動する。このときにも、磁石部材１４が板ばね２８で押えられているので、巻真１２が引出し方向に移動しても、磁石部材１４は巻真１２と共に移動せず、巻真１２の係合軸部１６における内側の先端部側（図１０では左側）に位置する。
【００４６】
また、このときには、図１０に示すように、巻真１２の段差凹部１２ａが時計モジュール４の外側（図１０では右側）に向けて移動するので、オシドリ２０の連動アーム部２０ａが時計モジュール４の外側に向けて移動し、オシドリ２０が支持軸１７を中心に時計回りに回転する。これに伴って、図１０に示すように、連動ピン２０ａがオシドリばね２１に設けられた位置規制部２４の上部側に位置する係止凹部に弾力的に保持される。これにより、巻真１２が引き出された第２の位置に規制される。
【００４７】
このときにも、スイッチ板２２がオシドリ２０の連結ピン２０ｃによってオシドリ２０と連結されているので、図１０に示すように、スイッチ板２２が支持軸１７を中心にオシドリ２０と共に時計回りに回転する。これにより、スイッチ板２２の接触ばね部２２ａの先端部が、回路基板２５に接触した状態で上記とは逆方向に回転移動する。これにより、図１０に示すように、回路基板２５に設けられた左側に位置する他方の接点部２５ｂに移動して接触し、磁気センサ１５をオン状態にして、磁気センサ１５による磁気検出を可能な状態にする。
【００４８】
この状態で巻真１２を回転させると、磁石部材１４が巻真１２と共に回転して磁界が変化し、この回転する磁界の変化を磁気センサ１５が検出する。この磁気センサ１５で出力された検出信号は、回路基板２５のマイコンで解析されて、巻真１２の回転に応じて指針（図示せず）を運針させて時刻を修正する。このときには、磁気センサ１５が磁石部材１４の回転方向（正回転であるか逆回転であるか）をも検出し、指針を正方向（時計回り）または逆方向（反時計回り）に運針させて時刻を修正する。
【００４９】
また、このときには、磁石部材１４が巻真１２と共に回転すると、磁石部材１４の非円形部２６が、巻真１２と共に一体的に回転するので、図９（ａ）に示すように、非円形部２６の角部が板ばね２８の一対の弾性片２８ａを押し広げて乗り越えることにより、巻真１２にクリック感が付与され、これにより巻真１２の回転状態を感覚的に知ることができるので、巻真１２を良好に回転操作することができる。
【００５０】
この場合、磁石部材１４の正回転または逆回転が連続していることを磁気センサ１５が検出した場合には、指針を早送りで正方向（時計回り）または逆方向（反時計回り）に運針させて、速やかに時刻を修正する。このときにも、巻真１２の連続回転に伴って非円形部２６が連続回転するので、その連続回転に伴って、非円形部２６の角部が板ばね２８の一対の弾性片２８ａを順次弾性変形させて順次乗り越える。
【００５１】
このため、巻真１２の連続回転に応じて、巻真１２に順次クリック感が付与されるので、このときにも巻真１２の連続回転状態を感覚的に知ることができ、これにより巻真１２を良好に回転操作することができる。また、巻真１２が引き出された第２の位置で、巻真１２が数十秒の間、回転操作されないときには、磁気センサ１５をオフ状態にして、電力の消費を防ぐ。
【００５２】
このように、この電子腕時計によれば、回転方向に操作可能な操作部材である巻真１２と、この巻真１２に取り付けられて巻真１２と一体的に回転する磁石部材１４と、この磁石部材１４の回転磁界を検出する磁気センサ１５と、磁石部材１４に設けられて断面形状が非円形状に形成された非円形部２６と、この非円形部２６に弾接し、巻真１２を回転させた際に非円形部２６によって弾性変形して非円形部２６が乗り越える板ばね２８とを備えているので、巻真１２にクリック感を付与することができる。
【００５３】
すなわち、この電子腕時計では、巻真１２を回転させて磁石部材１４を巻真１２と一体的に回転させると、この磁石部材１４の回転磁界を磁気センサ１５で検出することができると共に、巻真１２が回転すると、非円形部２６も回転し、この非円形部２６が板ばね２８を弾性変形させて乗り越えるので、巻真１２にクリック感を付与することができる。このため、巻真１２を回転させた際に、その巻真１２の回転状態を感覚的に知ることができるので、巻真１２の回転操作性を向上させることができる。
【００５４】
この場合、板ばね２８は、磁石部材１４の非円形部２６を弾力的に挟み付ける一対の弾接片２８ａを備えているので、この一対の弾性片２８ａによって弾力的に非円形部２６を確実に且つ良好に挟み付けることができ、これにより巻真１２と共に非円形部２６が回転する際に、非円形部２６が一対の弾性片２８ａを押し広げて乗り越えることにより、巻真１２にクリック感を確実に且つ良好に付与することができる。
【００５５】
この場合、巻真１２が連続して回転し、これに伴って非円形部２６が連続回転する際には、その連続回転に伴って、非円形部２６が一対の弾性片２８ａを順次弾性変形させて順次乗り越えることにより、巻真１２の連続回転に応じて、巻真１２に順次クリック感を付与することができ、これにより巻真１２の連続回転状態を感覚的に知ることができる。
【００５６】
また、この電子腕時計によれば、磁石部材１４が、磁界を発生する磁石１８と、この磁石１８を包み込む樹脂部１９とを備え、この樹脂部１９に非円形部２６が設けられていることにより、樹脂部１９を成形するときに、これと同時に非円形部２６を容易に且つ簡単に形成することができると共に、非円形部２６を磁石部材１４と共に巻真１２に組み付けることができる。
【００５７】
この場合、非円形部２６は、その外径が磁石１８の外径よりも小さく、且つ磁石１８の側面に位置する樹脂部１９とガイド鍔部２７との間に位置し、この状態で板ばね２８の一対の弾性片２８ａに挟まれているので、この一対の弾性片２８ａによって非円形部２６を磁石部材１４と共に位置規制することができる。
【００５８】
また、この電子腕時計によれば、巻真１２の断面非円形の係合軸部１６が磁石部材１４の係合孔１８ａに係合しているので、巻真１２を軸方向に移動操作する際に、磁石部材１４を巻真１２に対して相対的に移動させることができると共に、非円形部２６を弾力的に挟む一対の弾性片２８ａによって磁石部材１４が軸方向の位置が規制されているので、これにより磁石部材１４を巻真１２の軸方向に対して常に一定の位置に保持することができる。
【００５９】
このため、巻真１２を軸方向に移動操作しても、巻真１２や磁石部材１４を破損せずに、常に磁石部材１４を磁気センサ１５に対応させることができるので、巻真１２を軸方向における複数の位置に移動させても、１つの磁気センサ１５で巻真１２の回転を正確に検出することができるほか、磁気センサ１５が磁石部材１４に対して非接触状態であるから、耐久性の高いものを提供することができる。
【００６０】
この場合、磁気センサ１５は、磁石部材１４の回転を検出して検出信号を出力し、この出力された検出信号が回路基板２５のマイコンで解析されて、巻真１２の回転に応じて指針（図示せず）を運針させて時刻を修正することができる。このときには、磁気センサ１５が磁石部材１４の回転方向（正回転であるか逆回転であるか）を検出するので、指針を正方向（時計回り）または逆方向（反時計回り）に回転させることができる。
【００６１】
また、このとき、磁石部材１４の正回転または逆回転が連続しているか否かを磁気センサ１５で検出することにより、回転が連続している場合に、指針を早送りで正方向（時計回り）または逆方向（反時計回り）に回転させて、速やかに時刻を修正することができる。この場合、磁気センサ１５は、耐磁板３０によって囲われているので、腕時計ケース１の外部磁界の影響を受けず、磁石部材１４の磁界を正確に検出することができる。
【００６２】
また、この電子腕時計では、巻真１２をその軸方向における第１の位置と第２の位置とに位置規制する位置規制部材１３を備えているので、巻真１２をその軸方向における第１の位置と第２の位置とに正確に且つ確実に位置規制することができる。すなわち、位置規制部材１３は、巻真１２の軸方向への移動に伴って回転するオシドリ２０と、このオシドリ２０の連動ピンを位置規制部２４の複数の係止凹部によって弾力的に保持するオシドリばね２１とを備えているので、オシドリばね２１の位置規制部２４によってオシドリ２０の回転位置を規制することができ、これにより巻真１２の軸方向における位置を確実に規制することができる。
【００６３】
また、巻真１２は、その軸方向に押し込まれた第１の位置と引き出された第２の位置とで、回路基板２５の接点部２５ａ、２５ｂを切り替える接点切替部材であるスイッチ板２２を備えているので、磁石部材１４が磁気センサ１５に常に対応していても、スイッチ板２２で回路基板２５の接点部２５ａ、２５ｂを切り替えることにより、磁気センサ１５をオン状態とオフ状態とに切り替えることができる。
【００６４】
すなわち、スイッチ板２２は、巻真１２の軸方向への移動に伴って回転するオシドリ２０と共に回転して、接触ばね部２２ａが回路基板２５に設けられた２つの接点部２５ａ、２５ｂを切り替えることができるので、巻真１２が押し込まれた第１の位置のときに、接触ばね部２２ａが回路基板２５に設けられた右側に位置する一方の接点部２５ａに接触して、磁気センサ１５をオフ状態にし、また巻真１２が引き出された第２の位置のときに、接触ばね部２２ａが回路基板２５に設けられた左側に位置する他方の接点部２５ｂに接触して、磁気センサ１５をオン状態にすることができる。
【００６５】
このため、巻真１２が押し込まれた第１の位置のときには、磁気センサ１５がオフ状態であるから、磁気センサ１５に対する待機電流を防ぐことができると共に、この状態で巻真１２を回転させて磁石部材１４を回転させても、磁気センサ１５によって磁石部材１４の回転を検出することがないので、磁気センサ１５による消費電力を低減することができる。
【００６６】
また、巻真１２が引き出された第２の位置のときには、磁気センサ１５がオン状態になるので、巻真１２を回転させて磁石部材１４を回転させると、磁気センサ１５で磁石部材１４の回転を検出することができる。この場合、巻真１２が引き出された第２の位置のときに、数十秒の間、巻真１２が回転操作されないときには、磁気センサ１５をオフ状態にするので、これによっても磁気センサ１５による消費電力を抑えて、低消費電力化を図ることができる。
【００６７】
なお、上述した実施形態では、磁石部材１４の樹脂部１９に設けられた非円形部２６が断面四角形状に形成されている場合にいて述べたが、これに限らず、非円形部は、例えば断面形状が三角形状であっても良く、また断面形状が五角形、六角形などの多角形状でも良く、さらに断面形状が楕円形状であっても良い。
【００６８】
また、上述した実施形態では、板ばね２８に一対の弾性片２８ａを設け、この一対の弾性片２８ａで磁石部材１４の樹脂部１９に設けられた非円形部２６を弾力的に挟むように構成した場合について述べたが、必ずしも一対の弾性片２８ａで非円形部２６を弾力的に挟む必要はなく、弾性片を片側のみに設け、この片側の弾性片のみを非円形部２６の外周面に弾接させた構成でも良い。
【００６９】
また、上述した実施形態では、磁石部材１４の樹脂部１９を軸方向に突出させ、この突出した樹脂部１９に非円形部２６を設けた場合について述べたが、これに限らず、例えば樹脂部１９を磁石１８の外周面よりも外周方向に突出させ、この突出した樹脂部１９の外周を非円形状に形成することにより、磁石１８の外周面よりも外周方向に突出する非円形部を設けた構成であっても良い。
【００７０】
また、これに限らず、巻真１２に非円形部を設け、この非円形部の外周に板ばね２６の一部を弾接させた構成でも良い。このように構成しても、巻真１２の回転によって非円形部が板ばね２６の一部を弾性変形させて乗り越えることにより、巻真１２にクリック感を良好に付与することができる。
【００７１】
また、上述した実施形態では、巻真１２に断面四角形状の係合軸部１６を設け、磁石部材１４の中心部に巻真１２の係合軸部１６が挿入する四角形状の係合孔１４ａを設けた場合について述べたが、これに限らず、巻真１２の係合軸部１６および磁石部材１４の係合孔１４ａの各断面形状を、三角形、五角形、六角形などの多角形状、または楕円形状、スプライン形状などの非円形状に形成しても良い。
【００７２】
さらに、上述した実施形態では、巻真１２がその軸方向における第１の位置と第２の位置とに移動するように構成された場合について述べたが、必ずしも第１、第２の各位置のみに移動する構成である必要はなく、第２の位置から更に引き出された第３の位置にも移動するように構成しても良い。このように構成しても、磁石部材１４を板ばね２６によって押え付けることにより、巻真１２の軸方向への引出し操作に応じて磁石部材１４が移動することがなく、常に磁石部材１４が１つの磁気センサ１５に対応するので、この１つの磁気センサ１５で巻真１２の回転を検出することができる。
【００７３】
なおまた、上述した実施形態およびその各変形例では、指針式の電子腕時計に適用した場合について述べたが、必ずしも電子腕時計である必要はなく、例えばトラベルウオッチ、目覚まし時計、置き時計、掛け時計などの各種の電子時計に適用することができるほか、必ずしも電子時計に限らず、携帯電話機やＰＤＡ（パーソナル・デジタル・アシスタント）などの電子機器にも広く適用することができる。
【符号の説明】
【００７４】
１  腕時計ケース
４  時計モジュール
６  時刻修正装置
１１  地板
１２  巻真
１３  位置規制部材
１４  磁石部材
１４ａ  係合孔
１５  磁気センサ
１６  係合軸部
１８  磁石
１９  樹脂部
２５  回路基板
２６  非円形部
２７  ガイド鍔部
２８  板ばね
２８ａ  一対の弾性片
【図１】
2011165468.tif 000003
【図２】
2011165468.tif 000004
【図３】
2011165468.tif 000005
【図４】
2011165468.tif 000006
【図５】
2011165468.tif 000007
【図６】
2011165468.tif 000008
【図７】
2011165468.tif 000009
【図８】
2011165468.tif 000010
【図９】
2011165468.tif 000011
【図１０】
2011165468.tif 000012